(57)【要約】【課題】ヒップホールド用フラップのめくれやヨレ等を高い次元で解消した吸収性物品を提供する。【解決手段】ウイング状フラップＷの後方側付け根部Ａから長手方向線１０に対して外側に９度の角度で引いた仮想線１１よりも内側に前記ヒップホールド用フラップＨＦが形成されるとともに、前記後方側付け根部Ａからヒップホールド用フラップＨＦの後方側に存在する最大幅位置Ｂに至るヒップホールド用フラップＨＦの外形線は単一の曲率半径Ｒ１の円弧線によって構成され、かつ前記ヒップホールド用フラップＨＦの後方側に存在する最大幅位置Ｂと長手方向中心線ＣＬと製品後端外形線との交点Ｃを通る線１２を描き、この線１２に対して前記最大幅位置Ｂを中心として外側に１９度の角度で引いた仮想線１３よりも内側範囲内に少なくとも２つ以上の凹状線１４ａ、１４ｂと凸状線１５ａ、１５ｂとが交互に存在している波状線によって外形線が構成されている。【選択図】図３
2010227211.tif 000002
【特許請求の範囲】
【請求項１】
透液性表面シートと裏面シートとの間に吸収体が介在されるとともに、両側部の中間にウイング状フラップを備えるとともに、後側にヒップホールド用フラップを備えた吸収性物品において、
前記ウイング状フラップの後方側付け根部から吸収性物品の長手方向線に対して外側に９度の角度で引いた仮想線よりも内側に前記ヒップホールド用フラップが形成されるとともに、前記後方側付け根部からヒップホールド用フラップの後方側に存在する最大幅位置に至るヒップホールド用フラップの外形線は外側に膨出する単一の曲率半径の円弧線によって構成され、
かつ前記ヒップホールド用フラップの後方側に存在する最大幅位置と吸収性物品の長手方向中心線と製品後端外形線との交点を通る線を描き、この線に対して前記最大幅位置を中心として外側に１９度の角度で引いた仮想線よりも内側範囲内に少なくとも２つ以上の凹状線と凸状線とが交互に存在している波状線によって外形線が構成されていることを特徴とする吸収性物品。
【請求項２】
前記後方側付け根部からヒップホールド用フラップの後方側に存在する最大幅位置に至るヒップホールド用フラップの外形線は、曲率半径：９００mm以上の円弧線とされる請求項１記載の吸収性物品。
【請求項３】
前記後方側付け根部から前記ヒップホールド用フラップの後方側に存在する最大幅位置までの長手方向寸法が１２０〜１４０mm、前記最大幅位置から製品後端までの長手方向寸法が４０〜７０mm、吸収性物品の長手方向中心線から前記後方側付け根部までの幅方向寸法が３５〜５０mm、吸収性物品の長手方向中心線から前記最大幅位置までの幅方向寸法が４５〜７２mmとされる請求項１、２いずれかに記載の吸収性物品。
【請求項４】
前記少なくとも２つ以上の凹状線及び凸状線の曲率半径は２５mm以下とされる請求項１〜３いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくは装着作業時及び装着中におけるヒップホールド用フラップのめくれやヨレを防止した吸収性物品に関する。
【背景技術】
【０００２】
従来より、生理用ナプキンなどの吸収性物品としては、例えば図４に示されるように、ポリエチレンシートなどからなる不透液性バックシート５２と、経血等を速やかに透過させる透液性トップシート５３と、これら両シート５２，５３間に介装された吸収体５４と、表面がわ両側部に設けられた左右一対の立体ギャザーＢＳ、ＢＳとから主に構成され、不透液性バックシート５２とサイド不織布５５とによる積層シート部分によって側方に突出するウイング状フラップＷ、Ｗが形成されているとともに、これよりも後側部分にヒップホールド用フラップＨＦ、ＨＦが形成されたものが知られている。
【０００３】
近年では、この種の吸収性物品において、前記ヒップホールド用フラップＨＦのめくれやヨレなどを防止したものが幾つか提案されている。例えば、下記特許文献１では、図５に示されるように、肌側表面と着衣側表面を有し、前記肌側表面に与えられた液を吸収する液吸収層と、前記着衣側表面に現れる裏面シートとを備えた縦長の生理用ナプキンにおいて、横方向の両側に突出する折返しフラップ部６０，６０と、この折返しフラップ部６０，６０よりも後方の突出起点６１、６１からナプキンの後縁までの範囲で横方向の両側に突出する後方フラップ部６２，６２とを有しており、前記後方フラップ部６２は、前記突出起点６１から前記後縁までの縦方向の長さの中点よりも前方において、縦方向中心からの半幅寸法が最大となる最大幅部６３を有するようにした生理用ナプキンが提案されている。
【先行技術文献】
【特許文献】
【０００４】
【特許文献１】特開２００９−５５９号公報
【発明の概要】
【発明が解決しようとする課題】
【０００５】
前記特許文献１に係る生理用ナプキンでは、後縁に向かうにしたがって横方向への動きが大きくなるが、後方フラップ部の幅寸法の大きい部分がナプキンの後縁から前方に離れた位置に有るために、幅寸法の大きい部分に作用する横方向への動きが比較的小さくなり、ナプキンに撚れやめくれが生じ難くなるという作用効果を奏することが記載されている。
【０００６】
しかしながら、従来のものよりもヨレやめくれが生じ難いとしても、図５(A)に示されるように、折返しフラップ部６０と後方フラップ部６２との間であって、最狭部６１を起点として後方フラップ６２にめくれを生じさせる折り線Ｌ１が生じたり、図５(B)に示されるように、変曲点６４を起点として後方フラップ６２にめくれを生じさせる折り線Ｌ１が生じたりするため、十分にめくれやヨレを防止できているとは言い難い。また、後方フラップ６２の後側でも折れ線Ｌ２によってめくれが生じ易いなどの問題があった。
【０００７】
そこで本発明の主たる課題は、透液性表面シートと裏面シートとの間に吸収体が介在されるとともに、両側部の中間にウイング状フラップを備えるとともに、後側にヒップホールド用フラップを備えた吸収性物品において、前記ヒップホールド用フラップのめくれやヨレ等を高い次元で解消した吸収性物品を提供することにある。
【課題を解決するための手段】
【０００８】
前記課題を解決するために請求項１に係る本発明として、透液性表面シートと裏面シートとの間に吸収体が介在されるとともに、両側部の中間にウイング状フラップを備えるとともに、後側にヒップホールド用フラップを備えた吸収性物品において、
前記ウイング状フラップの後方側付け根部から吸収性物品の長手方向線に対して外側に９度の角度で引いた仮想線よりも内側に前記ヒップホールド用フラップが形成されるとともに、前記後方側付け根部からヒップホールド用フラップの後方側に存在する最大幅位置に至るヒップホールド用フラップの外形線は外側に膨出する単一の曲率半径の円弧線によって構成され、
かつ前記ヒップホールド用フラップの後方側に存在する最大幅位置と吸収性物品の長手方向中心線と製品後端外形線との交点を通る線を描き、この線に対して前記最大幅位置を中心として外側に１９度の角度で引いた仮想線よりも内側範囲内に少なくとも２つ以上の凹状線と凸状線とが交互に存在している波状線によって外形線が構成されていることを特徴とする吸収性物品が提供される。
【０００９】
請求項２に係る本発明として、前記後方側付け根部からヒップホールド用フラップの後方側に存在する最大幅位置に至るヒップホールド用フラップの外形線は、曲率半径：９００mm以上の円弧線とされる請求項１記載の吸収性物品が提供される。
【００１０】
請求項３に係る本発明として、前記後方側付け根部から前記ヒップホールド用フラップの後方側に存在する最大幅位置までの長手方向寸法が１２０〜１４０mm、前記最大幅位置から製品後端までの長手方向寸法が４０〜７０mm、吸収性物品の長手方向中心線から前記後方側付け根部までの幅方向寸法が３５〜５０mm、吸収性物品の長手方向中心線から前記最大幅位置までの幅方向寸法が４５〜７２mmとされる請求項１、２いずれかに記載の吸収性物品が提供される。
【００１１】
請求項４に係る本発明として、前記少なくとも２つ以上の凹状線及び凸状線の曲率半径は２５mm以下とされる請求項１〜３いずれかに記載の吸収性物品が提供される。
【発明の効果】
【００１２】
以上詳説のとおり本発明によれば、透液性表面シートと裏面シートとの間に吸収体が介在されるとともに、両側部の中間にウイング状フラップを備えるとともに、後側にヒップホールド用フラップを備えた吸収性物品において、前記ヒップホールド用フラップのめくれやヨレ等を高い次元で解消することができる。
【図面の簡単な説明】
【００１３】
【図１】本発明に係る生理用ナプキン１の一部破断展開図である。
【図２】図１のII−II線矢視図である。
【図３】生理用ナプキン１の外形線形状（裏面シート形状）を示す平面図である。
【図４】従来の生理用ナプキン５０の展開図である。
【図５】従来の生理用ナプキンの展開図である。
【発明を実施するための形態】
【００１４】
以下、本発明の実施の形態について図面を参照しながら詳述する。
【００１５】
前記生理用ナプキン１は、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、表面両側部にそれぞれ長手方向に沿って形成されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合され、外周に吸収体４の存在しないフラップ部Ｆ１、Ｆ２が形成されている。
【００１６】
以下、さらに前記生理用ナプキン１の構造について詳述する。
【００１７】
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。これらの中で、ヒップホールド用フラップＨＦのめくれやヨレを効果的に防止するにはコシのあるラミネート不織布を使用するのが望ましい。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００１８】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００１９】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２０】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２１】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。吸収体４の厚みは、約０．５〜２mmの範囲内とすることが好ましく、吸収体４の製造方法は、柔軟性に富むように積繊パルプ、エアレイド吸収体とすることが好ましい。なお、図示しないが、吸収体４は、排血口対応部が膨出した中高構造としても良い。
【００２２】
一方、本生理用ナプキン１の表面がわ両側部にはそれぞれ、長手方向に沿ってかつナプキン１のほぼ全長に亘ってサイド不織布７，７が設けられ、両側部の中間において、側方に延在されたサイド不織布７，７と、側方に延在された不透液性裏面シート２とによりウイング状フラップＷ、Ｗが形成されているとともに、その後方に前記サイド不織布７と不透液性裏面シート２とによりヒップホールド用フラップＨＦ、ＨＦが形成されている。
【００２３】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。不織布の種類としては、折り癖が付きにくく、シワに成りにくく柔らかいエアスルー不織布が望ましい。
【００２４】
本発明では特に、外周に形成されたフラップ部Ｆ１，Ｆ２の内、両側部のフラップ部Ｆ２に形成されたヒップホールド用フラップＨＦの装着時及び装着中における、めくれやヨレを防止するために該ヒップホールド用フラップＨＦの外形形状を特定するものである。
【００２５】
以下、この点について図３に基づいて詳述する。
【００２６】
前記ウイング状フラップＷのすぐ後方側には、最狭部となる後方側付け根部Ａが存在し、この後方側付け根部Ａを起点としてヒップホールド用フラップＨＦの外形形状が特定される。
【００２７】
前記後方側付け根部Ａから前記ヒップホールド用フラップの後方側に存在する最大幅位置Ｂまでの区間Ｈ１において、ヒップホールド用フラップＨＦは、前記後方側付け根部Ａからナプキン１の長手方向に沿って引いた線１０に対して外側に９度の角度で引いた仮想線１１よりも内側に形成されるとともに、前記後方側付け根部Ａからヒップホールド用フラップＨＦの後方側に存在する最大幅位置Ｂに至るヒップホールド用フラップの外形線は外側に膨出する単一の曲率半径Ｒ１の円弧線によって構成されている。
【００２８】
ここで、前記後方側付け根部Ａから前記ヒップホールド用フラップの後方側に存在する最大幅位置Ｂまでの長手方向寸法Ｈ１は１２０〜１４０mm、ナプキン１の長手方向中心線ＣＬから前記後方側付け根部Ａまでの幅方向寸法Ｓ１は３５〜５０mm、ナプキン１の長手方向中心線ＣＬから前記最大幅位置Ｂまでの幅方向寸法Ｓ２は４５〜７２mmとするのが望ましい。また、前記曲率半径Ｒ１は、９００mm以上とするのが望ましい。
【００２９】
前記後方側付け根部Ａから９度の角度で引いた仮想線１１の範囲内にヒップホールド用フラップＨＦを形成することで、ヒップホールド用フラップＨＦの後方側付け根部Ａを起点として生じるめくれやヨレが効果的に防止できるようになる。すなわち、前記後方側付け根部Ａにめくれやヨレを発生させようとする外力が発生しても、この外力は前記ヒップホールド用フラップＨＦの外形線が前記後方側付け根部Ａから緩やかな傾斜角で形成されていることにより、ヒップホールド用フラップＨＦに応力歪みを起こすことはできず放散されるため、ヒップホールド用フラップＨＦにめくれやヨレは生じない。また、例えば凹曲線から凸曲線に変化する外形ライン或いは凸曲線から凹曲線に変化する外形ラインのように変曲点を有する外形ラインの場合は、一方側の凹曲線又は凸曲線に生じた応力が曲率が変化する位置で応力が逃げることができず、歪みの集積点となってヨレなどが生じ易くなるが、本生理用ナプキン１では、前記後方側付け根部Ａからヒップホールド用フラップＨＦの後方側に存在する最大幅位置Ｂに至るヒップホールド用フラップの外形線は外側に膨出する単一の曲率半径Ｒ１の円弧線によって構成されているため、応力が集積することが無く、めくれやヨレなどを効果的に防止することが可能となる。
【００３０】
一方、前記最大幅位置Ｂから製品後端点Ｃまでの区間Ｈ２においては、前記ヒップホールド用フラップＨＦの後方側に存在する最大幅位置Ｂとナプキン長手方向中心線ＣＬと製品後端外形線との交点Ｃを通る線１２を描き、この線１２に対して前記最大幅位置Ｂを中心として外側に１９度の角度で引いた仮想線１３よりも内側範囲内に少なくとも２つ以上の凹状線１４ａ、１４ｂと凸状線１５ａ、１５ｂとが交互に存在している波状線によって外形線が構成されている。
【００３１】
前記最大幅位置Ｂから製品後端点Ｃまでの区間Ｈ２は、臀裂部に対応する部分であり、身体の曲線形状が急に変化している部位でもあるので、フラップＦ２に外側に凸となる単純な膨らみは作らず、前記最大幅位置Ｂから製品後端中心点Ｃに向かう外形線とするとともに、この外形線は単純な曲線形状とするのではなく、前記仮想線１３よりも内側範囲内に少なくとも２つ以上の凹状線１４ａ、１４ｂと凸状線１５ａ、１５ｂとが交互に存在している波状線とする。従って、製品後端点Ｃに至る外形線を波状線とすることにより、応力が逃げやすくめくれの起点となりづらくなるため、めくれやヨレが発生し難くなる。
【００３２】
前記最大幅位置Ｂから製品後端までの区間Ｈ２の寸法は４０〜７０mm、凹状線１４ａ、１４ｂ及び凸状線１５ａ、１５ｂの曲率半径Ｒは図示されているように、２５mm以下とするのが望ましい。
【符号の説明】
【００３３】
１…生理用ナプキン、２…不透液性裏面シート、３…透液性表面シート、４…吸収体、５…クレープ紙、７…サイド不織布、Ｆ１・Ｆ２…フラップ部、Ｗ…ウイング状フラップ、ＨＦ…ヒップホールド用フラップ
【図１】
2010227211.tif 000003
【図２】
2010227211.tif 000004
【図３】
2010227211.tif 000005
【図４】
2010227211.tif 000006
【図５】
2010227211.tif 000007